(57)【要約】【課題】光書き込み手段への電源供給状態を検知し、常に均一な静電潜像を形成することが可能な光書き込み装置を提供すること。【解決手段】感光体上に静電潜像を形成する光書き込み装置であって、前記感光体に光を照射する光書き込み手段と、前記光書き込み手段に電源を供給する電源供給手段と、前記電源供給手段から前記光書き込み手段への電源供給状態を検出して電源供給情報又は電源遮断情報を出力する電源状態検出手段と、前記電源状態検出手段から前記電源遮断情報が出力された場合に、前記電源遮断情報を保持する電源遮断情報保持手段と、前記電源遮断情報保持手段が保持する前記電源遮断情報に基づき、前記電源供給手段による前記光書き込み手段への電源供給状態を検知する電源検知手段と、を有する光書き込み装置。【選択図】図４
2014037082.tif 000002
【特許請求の範囲】
【請求項１】
感光体上に静電潜像を形成する光書き込み装置であって、
前記感光体に光を照射する光書き込み手段と、
前記光書き込み手段に電源を供給する電源供給手段と、
前記電源供給手段から前記光書き込み手段への電源供給状態を検出して電源供給情報又は電源遮断情報を出力する電源状態検出手段と、
前記電源状態検出手段から前記電源遮断情報が出力された場合に、前記電源遮断情報を保持する電源遮断情報保持手段と、
前記電源遮断情報保持手段が保持する前記電源遮断情報に基づき、前記電源供給手段による前記光書き込み手段への電源供給状態を検知する電源検知手段と、
を有することを特徴とする光書き込み装置。
【請求項２】
前記電源状態検出手段から出力される前記電源供給情報又は前記電源遮断情報を保持する電源情報保持手段を有し、
前記電源検知手段は、前記電源遮断情報保持手段が保持する前記電源遮断情報に基づいて前記電源供給手段からの電源供給が遮断されたことを検知した場合に、前記電源情報保持手段が保持する前記電源供給情報に基づいて前記電源供給手段による電源供給の再開を検知する
ことを特徴とする請求項１に記載の光書き込み装置。
【請求項３】
前記電源検知手段は、前記電源情報保持手段が前記電源供給情報を保持していることを周期的に複数回確認した場合に、前記電源供給手段による電源供給の再開を検知する
ことを特徴とする請求項２に記載の光書き込み装置。
【請求項４】
前記電源検知手段は、前記電源供給手段による電源供給の再開を検知した場合に、前記電源遮断情報保持手段に前記電源遮断情報に換えて前記電源供給情報を保持させる
ことを特徴とする請求項２又は３に記載の光書き込み装置。
【請求項５】
前記光書き込み手段は、複数の発光素子が基板部材上に配列された発光素子アレイを有する
ことを特徴とする請求項２から４の何れか一項に記載の光書き込み装置。
【請求項６】
前記電源検知手段は、前記電源供給手段による電源供給の再開を検知した場合に、前記複数の発光素子を制御して前記発光素子ごとの光量のばらつきを補正するための補正データを前記光書き込み手段に送信する
ことを特徴とする請求項５に記載の光書き込み装置。
【請求項７】
前記光書き込み手段は、省エネモードを含む複数の動作モードを有し、
前記電源検知手段は、前記電源供給手段による電源供給の再開を検知した場合に、前記光書き込み手段の前記動作モードを前記省エネモードに制御する
ことを特徴とする請求項２から６の何れか一項に記載の光書き込み装置。
【請求項８】
請求項１から７の何れか一項に記載の光書き込み装置を備えることを特徴とする画像形成装置。
【請求項９】
感光体に光を照射する光書き込み手段と、前記光書き込み手段に電源を供給する電源供給手段とを有し、前記感光体上に静電潜像を形成する光書き込み装置の制御方法であって、
前記電源供給手段から前記光書き込み手段への電源供給状態を検出して電源供給情報又は電源遮断情報を出力する電源検出ステップと、
前記電源状態検出手段から前記電源遮断情報が出力された場合に、前記電源遮断情報を保持する電源遮断情報保持ステップと、
前記電源遮断情報保持手段が保持する前記電源遮断情報に基づき、前記電源供給手段による前記光書き込み手段への電源供給状態を検知する電源検知ステップと、
を有することを特徴とする光書き込み装置の制御方法。
【発明の詳細な説明】
【技術分野】
【０００１】
本発明は、光書き込み装置、画像形成装置及び光書き込み装置の制御方法に関する。
【背景技術】
【０００２】
電子写真方式の画像形成装置の中には、光書き込み手段として発光ダイオードアレイ（light emitting diode array以下、「ＬＥＤＡ」という）を用いて感光体上に静電潜像を形成するものがある。ＬＥＤＡを用いる場合には、各ＬＥＤ素子の光量ばらつきにより静電潜像が均一に形成されず、画像品質の低下を招く場合がある。
【０００３】
そこで、予め各ＬＥＤ素子の光量を測定し、測定した光量に応じて補正データを作成し、補正データに基づいて各ＬＥＤ素子を駆動させることで光量ばらつきによる画像品質の低下を防止する方法が知られている（例えば特許文献１参照）。
【発明の概要】
【発明が解決しようとする課題】
【０００４】
上記方法では、例えばＬＥＤＡを制御するＣＰＵがメモリから補正データをＬＥＤドライバに転送し、ＬＥＤドライバが補正データに基づいて各ＬＥＤ素子を制御する。ここで、電源からＬＥＤＡに供給される電力が瞬間的に遮断（以下、「瞬断」という）されると、ＬＥＤドライバが初期化されるために補正データを再度転送する必要が生じる。
【０００５】
しかしながら、例えばＬＥＤＡを制御するＣＰＵのポーリング周期内に瞬断が生じた場合には、ＬＥＤＡへの電源供給が遮断されたことを検知できない。したがって、起動後に瞬断が発生すると、ＬＥＤドライバが初期化された状態で潜像形成が行われるため、ＬＥＤ素子の光量ばらつきによる画像品質の低下が生じる場合がある。
【０００６】
本発明は上記に鑑みてなされたものであって、光書き込み手段への電源供給状態を検知し、常に均一な静電潜像を形成することが可能な光書き込み装置を提供することを目的とする。
【課題を解決するための手段】
【０００７】
本発明の一態様の光書き込み装置によれば、感光体上に静電潜像を形成する光書き込み装置であって、前記感光体に光を照射する光書き込み手段と、前記光書き込み手段に電源を供給する電源供給手段と、前記電源供給手段から前記光書き込み手段への電源供給状態を検出して電源供給情報又は電源遮断情報を出力する電源状態検出手段と、前記電源状態検出手段から前記電源遮断情報が出力された場合に、前記電源遮断情報を保持する電源遮断情報保持手段と、前記電源遮断情報保持手段が保持する前記電源遮断情報に基づき、前記電源供給手段による前記光書き込み手段への電源供給状態を検知する電源検知手段と、を有する。
【発明の効果】
【０００８】
本発明の実施形態によれば、光書き込み手段への電源供給状態を検知し、常に均一な静電潜像を形成することが可能な光書き込み装置を提供できる。
【図面の簡単な説明】
【０００９】
【図１】実施形態に係る画像形成装置の構成例を示す概略図である。
【図２】実施形態に係る画像形成装置の他の構成例を示す概略図である。
【図３】実施形態に係る光書き込み装置の要部の構成例を示す図である。
【図４】実施形態に係るＬＥＤＡ制御ＩＣの構成例を示す概略図である。
【図５】実施形態に係る光書き込み装置における電源供給状態判定処理のフローチャートの一例を示す図である。
【図６】実施形態に係る光書き込み装置における電源供給判定処理のフローチャートの一例を示す図である。
【発明を実施するための形態】
【００１０】
以下、図面を参照して発明を実施するための形態について説明する。各図面において、同一構成部分には同一符号を付し、重複した説明を省略する場合がある。
【００１１】
＜画像形成装置の構成＞
まず、実施形態に係る画像形成装置の概略構成について図１に基づいて説明する。
【００１２】
図１に示す様に、画像形成装置１００は所謂タンデム型の画像形成装置であり、用紙Ｐを搬送する搬送ベルト５に沿って、用紙Ｐの搬送方向の上流側から順に、画像形成部６ＢＫ，６Ｍ，６Ｃ，６Ｙが設けられている。画像形成部６Ｂｋはブラックの画像、画像形成部６Ｍはマゼンタの画像、画像形成部６Ｃはシアンの画像、画像形成部６Ｙはイエローの画像を形成する。
【００１３】
以下の説明では画像形成部６ＢＫの構成及び動作について具体的に説明するが、他の画像形成部６Ｍ，６Ｃ，６Ｙの構成及び動作も同様であり、図１の各構成要素に付したＢＫに代えてＭ，Ｃ，Ｙによって区別した符号を図に表示するにとどめ、説明を省略する。
【００１４】
画像形成装置１００が画像形成を開始する際には、まず給紙ローラ２と分離ローラ３とによって、給紙トレイ１に収納されている用紙Ｐのうち最も上の用紙Ｐが給紙され、用紙Ｐは静電吸着作用により搬送ベルト５に吸着して搬送される。
【００１５】
搬送ベルト５は、不図示の駆動モータにより回転駆動する駆動ローラ７と従動ローラ８とに巻き回された無端状のベルトであり、駆動ローラ７に伴って回転して用紙Ｐを搬送する。用紙Ｐは、搬送ベルト５により搬送され、まず画像形成部６ＢＫにより画像データに基づいて形成されたブラックのトナー画像が転写される。
【００１６】
画像形成部６ＢＫは、感光体ドラム９ＢＫ、帯電器１０ＢＫ、ＬＥＤＡ１１ＢＫ、現像器１２ＢＫ、感光体クリーナ１３ＢＫ、除電器（図示せず）等を有する。
【００１７】
画像形成部６ＢＫでは、まず帯電器１０ＢＫが感光体ドラム９ＢＫの表面を一様に帯電した後、ＬＥＤＡ１１ＢＫがブラック画像に対応して感光体ドラム９ＢＫを露光することで、感光体ドラム９ＢＫの表面に静電潜像が形成される。感光体ドラム９ＢＫは図１中矢印方向に回転し、静電潜像は現像器１２ＢＫによりトナー画像として現像される。トナー画像は、感光体ドラム９ＢＫに伴って回転し、搬送ベルト５に搬送されている用紙Ｐに接する位置（転写位置）で、転写器１５ＢＫにより用紙Ｐ上に転写される。
【００１８】
感光体ドラム９ＢＫは、表面のトナー画像が用紙Ｐに転写された後、表面に残留する不要なトナーが感光体クリーナ１３ＢＫにより除去された後、除電器により除電され、次の画像形成のために待機する。
【００１９】
以上の様に、画像形成部６ＢＫによりブラックのトナー画像が転写された用紙Ｐは、搬送ベルト５によって下流側の画像形成部６Ｍ，６Ｃ，６Ｙに搬送され、各色のトナー画像が用紙Ｐのブラックトナー画像に重ねて転写される。用紙Ｐの表面には、各色のトナー画像が重ねて転写されることで、フルカラートナー画像が形成される。
【００２０】
フルカラートナー画像が形成された用紙Ｐは、定着器１６に搬送されて加熱及び加圧されてトナー画像が定着された状態で機外に排紙される。画像形成装置１００は、以上で説明したプロセスにより用紙Ｐの表面に画像を形成して出力する。
【００２１】
また、画像形成装置１００は、図２に例示する構成であっても良い。
【００２２】
図２に例示する画像形成装置１００は、中間転写ベルト１７を有し、画像形成部６ＢＫ，６Ｍ，６Ｃ，６Ｙが中間転写ベルト１７上にトナー画像を重ねて転写することでフルカラートナー画像を形成する。用紙Ｐは、中間転写ベルト１７と２次転写ローラ２２との間で、中間転写ベルト１７上のトナー画像が転写され、定着器１６により表面にトナー像が定着された状態で機外に排出される。
【００２３】
この様に、画像形成装置１００の構成は図２に示す様に中間転写ベルト１７を有する構成であっても良く、１つの感光体ドラム上に複数の色のトナー像を形成するリボルバー型の構成であっても良い。また、単色の画像を形成するモノクロ画像形成装置であっても良い。
【００２４】
＜光書き込み装置の構成＞
次に、実施形態に係る画像形成装置１００において感光体ドラム９表面に静電潜像を形成する光書き込み装置１０１の概略構成について説明する。
【００２５】
図３は、実施形態に係る光書き込み装置１０１の要部の構成例を示す図である。
【００２６】
光書き込み装置１０１は、制御基板Ｍｄ１２０、ＬＥＤＡ１１を有し、電源供給Ｍｄ１１０から電源が供給されて駆動する。
【００２７】
電源供給Ｍｄ１１０は、例えば商用電源からＡＣ／ＤＣコンバータ等によりＤＣ２４Ｖに変換し、制御基板Ｍｄ１２０及び各種電装品１３０等に電源を供給する。電源供給Ｍｄ１１０は、過電流保護回路１１１，１１２、ヒューズＦＵ１，ＦＵ２を有し、必要以上の電流が流れることによる負荷の破損等を防止している。
【００２８】
制御基板Ｍｄ１２０は、電源ＩＣ１２１，１２２、ＣＰＵ１２３、ＬＥＤＡ制御ＩＣ１２４を有する。
【００２９】
電源ＩＣ１２１，１２２は、例えばＤＣ／ＤＣコンバータであり、電源供給Ｍｄ１１０から供給される電源の電圧を変換する。電源ＩＣ１２１は、例えば電源供給Ｍｄ１１０から供給される電圧を３．３Ｖに変換してＣＰＵ１２３及びＬＥＤＡ制御ＩＣ１２４に供給する。また、電源ＩＣ１２２は、例えば電源供給Ｍｄ１１０から供給される電圧を５Ｖに変換してＬＥＤＡ１１に供給する。
【００３０】
また、電源供給Ｍｄ１１０と制御基板Ｍｄ１２０との間には、インターロックスイッチＳＷが設けられている。インターロックスイッチＳＷは、例えば光書き込み装置１０１のカバーの開閉に連動してＯＮ／ＯＦＦするスイッチである。インターロックスイッチＳＷは、カバーが開けられた時に連動してＯＦＦになり、制御基板Ｍｄ１２０への電源供給を遮断し、ＬＥＤＡ１１から照射される光が機外に漏れるのを防止する。
【００３１】
ＣＰＵ１２３は、例えば不図示のＨＤＤ，ＲＯＭ等の記憶装置からプログラムやデータをＲＡＭ上に読み出して処理を実行することで、光書き込み装置１０１が備える各機能を実現する演算装置である。ＣＰＵ１２３は、電源供給Ｍｄ１１０からの電源供給状態を検知する電源検知手段として機能する。
【００３２】
ＬＥＤＡ制御ＩＣ１２４は、ＣＰＵ１２３に制御されてＬＥＤＡ１１にモード制御信号を送信する。ＬＥＤＡ１１は、動作モードとして書き込み動作を行う「通常モード」と、消費電力が抑えられた「省電力モード」を有し、ＬＥＤＡ制御ＩＣ１２４からのモード制御信号に基づいて動作モードが切り替わる。また、ＬＥＤＡ制御ＩＣ１２４は、電源供給Ｍｄ１１０から電源ＩＣ１２２への電力供給状態に基づいて、ＬＥＤＡ１１への電力供給状態を把握する機能を有する。ＣＰＵ１２３とＬＥＤＡ制御ＩＣ１２４との間は、シリアル通信によりデータの送受信が行われる。
【００３３】
ＬＥＤＡ１１は、発光素子として複数のＬＥＤ素子が基板部材上に配列されて構成されている。ＬＥＤＡ１１は、不図示のＬＥＤＡドライバにより制御されて、画像形成装置１００に入力される画像データに基づいて感光体ドラム９の表面を露光する。ＬＥＤＡドライバは、予め測定された各ＬＥＤ素子の光量から作成された補正データに基づいて、各ＬＥＤ素子の光量ばらつきを補正する様にＬＥＤＡ１１を制御する。ＬＥＤＡ１１は、補正データに基づいて制御されて各ＬＥＤ素子が発光することで、感光体ドラム９上にドットばらつき等が無い均一な静電潜像を形成することができる。
【００３４】
ここで、ＬＥＤＡドライバには、光書き込み装置１０１の起動時に補正データを受信することで、その後の静電潜像形成時にＬＥＤＡ１１を補正データに基づいて制御できる。しかし、起動後にＬＥＤＡ１１への電源供給が瞬間的に遮断（瞬断）されると、ＬＥＤＡドライバが初期化されるため、補正データに基づいて各ＬＥＤ素子の発光を制御することが出来なくなる。そこで、光書き込み装置１０１では、ＣＰＵ１２３がＬＥＤＡ１１への電源供給状態を監視し、電源供給が瞬断された場合には補正データをＬＥＤＡドライバに再送する。したがって、実施形態に係る光書き込み装置１０１は、ＬＥＤＡ１１への電源供給に瞬断が生じた後でも、ＬＥＤＡ１１の各ＬＥＤ素子が補正データに基づいて制御されることで、均一な静電潜像を形成することができる。
【００３５】
＜電源供給状態の検知方法＞
次に、実施形態に係る光書き込み装置１０１において、ＬＥＤＡ１１への電源供給状態を検知する方法について説明する。
【００３６】
図４は、実施形態に係るＬＥＤＡ制御ＩＣ１２４の構成例を示す概略図である。
【００３７】
電源検出部１２５は、電源供給Ｍｄ１１０から制御基板Ｍｄ１２０の電源ＩＣ１２２への電力供給状態を検出し、検出した結果に応じて「０：電源供給」又は「１：電源遮断」の出力値をＬＥＤＡ制御ＩＣ１２４に送信する。電源検出部１２５は、電源状態検出手段の一例である。
【００３８】
ＬＥＤＡ制御ＩＣ１２４は、外部端子１２６、フリップフロップ（以下、「ＦＦ」という）１３１，１３２，１３３を有する。
【００３９】
外部端子１２６は、光書き込み装置１０１の制御基板Ｍｄ１２０に接続され、電源検出部１２５からの出力値が入力される。
【００４０】
ＦＦ１３１は、電源情報保持手段の一例であり、外部端子１２６からの出力値に応じて、「０：電源供給」又は「１：電源遮断」の何れかの値（以下、「power_s値」という）を保持し、クロック周期（clk_ref信号）に同期して保持している値を出力する。
【００４１】
ＦＦ１３２は、光書き込み装置１０１の制御基板Ｍｄ１２０に設けられているＣＰＵ１２３によって「０：−」又は「１：クリア」の何れかの値（以下、「power_clr値」という）が書き込まれ、クロック周期に同期して保持している値を出力する。
【００４２】
ＦＦ１３３は、ＦＦ１３１及びＦＦ１３２から出力される信号が入力され、「０：電源供給」又は「１：電源遮断」の何れかの値（以下、「power_f値」という）を保持する。
【００４３】
電源供給Ｍｄ１１０から制御基板Ｍｄ１２０の電源ＩＣ１２２に電源が供給されている場合には、外部端子１２６に電源検出部１２５から「０：電源供給」が入力され、ＦＦ１３１は「０：電源供給」をpower_s値として保持する。また、ＦＦ１３２は、起動時に書き込まれる「０：−」をpower_clr値として保持している。したがって、この場合にはＦＦ１３３に値「０」が入力され、「０：電源供給」をpower_f値として保持する。
【００４４】
電源供給Ｍｄ１１０から制御基板Ｍｄ１２０の電源ＩＣ１２２への電源が遮断された場合には、外部端子１２６に電源検出部１２５から「１：電源遮断」が入力され、ＦＦ１３１は入力値が変化した後の「１：電源遮断」をpower_s値として保持し続ける。電源供給Ｍｄ１１０から制御基板Ｍｄ１２０への電源供給が再開された時に、ＣＰＵ１２３がＦＦ１３２のpower_clr値に「１：クリア」を書き込むことで、ＦＦ１３３が初期状態に戻り、power_f値として「０：電源供給」を保持する。
【００４５】
したがって、電源供給Ｍｄ１１０からの電源供給が瞬間的に遮断（瞬断）され、電源供給が再開された後は、ＣＰＵ１２３がＦＦ１３２のpower_clr値に「１：クリア」を書き込まない限り、ＦＦ１３３はpower_f値として「１：電源遮断」を保持し続けることとなる。そこで、本実施形態に係る光書き込み装置１０１では、制御基板Ｍｄ１２０のＣＰＵ１２３が周期的にＦＦ１３３のpower_f値を読み込むことで、電源供給が安定して行われているか、瞬断が生じていないか等の電源供給状態を検知することが可能になる。
【００４６】
図５に、実施形態に係る光書き込み装置１０１における電源供給状態判定処理のフローチャートの一例を示す。
【００４７】
電源供給状態判定処理は、まずステップＳ１にて、制御基板Ｍｄ１２０のＣＰＵ１２３が、ＬＥＤＡ制御ＩＣ１２４のＦＦ１３３のpower_f値を読み込み、ステップＳ２にて、読み込んだpower_f値が「０：電源供給」であった場合には、そのまま処理を終了する。
【００４８】
ステップＳ２にて、ＣＰＵ１２３が読み込んだpower_f値が「１：電源遮断」であった場合には、ステップＳ３にて、印刷動作中であるか否かを判断する。印刷動作中であった場合には、ステップＳ４にてＬＥＤＡ１１による感光体ドラム９への露光を停止することで、印刷動作を停止する。
【００４９】
印刷動作を停止した後、ステップＳ５にて、ＬＥＤＡ１１とＬＥＤＡ制御ＩＣ１２４の動作状態を一致させるために、ＣＰＵ１２３はＬＥＤＡ１１及びＬＥＤＡ制御ＩＣ１２４の動作モードを「通常モード」に設定する。
【００５０】
次にステップＳ６にて、電源供給Ｍｄ１１０から制御基板Ｍｄ１２０の電源ＩＣ１２２への電源供給が正常に行われているか否かを判定する電源供給判定処理を行う。図６に、実施形態に係る光書き込み装置１０１における電源供給判定処理のフローチャートの一例を示す。
【００５１】
電源供給判定処理は、まずステップＳ６１にて、カウント値ｎ＝０を設定し、ステップＳ６２にて１００ｍｓ待機した後、ステップＳ６３にてＦＦ１３１のpower_s値を読み込む。ここで、電源供給Ｍｄ１１０から電源供給が行われている場合には、電源検出部１２５が電源供給を検出することにより、ＬＥＤＡ制御ＩＣ１２４のＦＦ１３１のpower_s値は「０：電源供給」となる。
【００５２】
そこで、ステップＳ６４にて、ＬＥＤＡ制御ＩＣ１２４のＦＦ１３１のpower_s値が「０：電源供給」であるか否かを判断し、power_s値が「０：電源供給」であった場合には、ステップＳ６５にて、カウント値ｎに１を加える。ステップＳ６６にて、カウント値ｎ＝１０になるまで、ステップＳ６２からステップＳ６５までの処理を繰り返し行う。また、ステップＳ６４にて、power_s値が「１：電源遮断」であった場合には、再びステップＳ６１からの処理を行う。なお、ステップＳ６２からステップＳ６５までの処理回数は、１回であっても良いが、複数回行うことが好ましい。電源供給Ｍｄ１１０からの電源供給の再開をより正確に判断することが可能になる。
【００５３】
ステップＳ６６にて、ｎ＝１０に達した場合には、電源供給Ｍｄ１１０からの電源供給が再開されたものと判定し、ステップＳ６７にて、ＦＦ１３２のpower_clr値に「１：クリア」を書き込むことでＦＦ１３３を初期状態にリセットした後、電源供給判定処理を終了する。電源供給判定処理が終了すると、ＬＥＤＡ制御ＩＣ１２４のＦＦ１３１のpower_s値は「０：電源供給」、ＦＦ１３２のpower_clr値は「０：−」となることから、ＦＦ１３３は「０：電源供給」をpower_f値として保持することとなる。
【００５４】
次に、図５のフローチャートに戻り、ステップＳ７にて、ＬＥＤＡ１１の動作モードを省電力モードに設定することで、ＬＥＤＡ１１において無駄に電力が消費されるのを防止する。
【００５５】
続いてステップＳ８にて、印刷要求の有無を判断し、印刷要求が無い場合にはそのまま処理を終了する。印刷要求がある場合には、ステップＳ９にてＬＥＤＡ１１の動作モードを通常モードに設定し、ステップＳ１０にて、ＣＰＵ１２３がＬＥＤＡ１１のＬＥＤＡドライバに補正データを転送する。ＬＥＤＡドライバは、電源供給が遮断されたことにより初期化されるが、電源供給再開後に補正データを再送されることにより、補正データに基づく各ＬＥＤ素子の制御が可能になる。
【００５６】
ステップＳ１１では、ＬＥＤＡ１１による感光体ドラム９の露光等の印刷動作を開始し、処理を終了する。
【００５７】
制御基板Ｍｄ１２０のＣＰＵ１２３は、以上で説明した処理を周期的（例えば１００ｍｓ間隔）で行うことで、ＬＥＤＡ１１への電源供給が瞬断されたことを検知し、電源供給の瞬断を検知した場合には補正データをＬＥＤＡドライバに再送する。したがって、ＬＥＤＡ１１の各ＬＥＤ素子は、常に補正データに基づいてＬＥＤＡドライバにより制御されるため、光書き込み装置１０１は感光体ドラム９上に安定して均一な静電潜像を形成することが可能になる。また、光書き込み装置１０１を有する画像形成装置１００は、常に一定の品質の画像を安定して出力し続けることが可能になる。
【００５８】
以上で説明した様に、本実施形態に係る光書き込み装置１０１によれば、ＬＥＤＡ制御ＩＣ１２４のＦＦ１３３が保持する値を読み込むことで、ＬＥＤＡ１１への電源供給状態を把握することができる。したがって、ＬＥＤＡ１１への電源供給が瞬間的に遮断された様な場合でも、電源供給が瞬断されたことを検知し、ＬＥＤＡドライバに補正データを再送することで、均一な静電潜像の形成を引き続き行うことが可能になる。また、本実施形態に係る画像形成装置１００によれば、感光体ドラム９を露光する光量のばらつきに起因する画像品質の低下を招くことなく、常に一定の品質以上の画像を安定して出力し続けることが可能である。
【００５９】
以上、実施形態に係る光書き込み装置、画像形成装置及び光書き込み装置の制御方法について説明したが、本発明は上記実施例に限定されるものではなく、本発明の範囲内で種々の変形及び改良が可能である。
【符号の説明】
【００６０】
１１  ＬＥＤＡ（光書き込み手段）
１１０  電源供給Ｍｄ（電源供給手段）
１２３  ＣＰＵ（電源検知手段）
１２５  電源検出部（電源状態検出手段）
１３１  ＦＦ（電源情報保持手段）
１３３  ＦＦ（電源遮断情報保持手段）
１００  画像形成装置
１０１  光書き込み装置
【先行技術文献】
【特許文献】
【００６１】
【特許文献１】特開２００３−２２０７２８号公報
【図１】
2014037082.tif 000003
【図２】
2014037082.tif 000004
【図３】
2014037082.tif 000005
【図４】
2014037082.tif 000006
【図５】
2014037082.tif 000007
【図６】
2014037082.tif 000008